(57)【特許請求の範囲】
【請求項１】
係合突起部を有し表示体照光用の光源を実装した回路基板と、側面の壁部に上記係合突起部が入り込む係合孔を有し、上記側面の壁部が立設する正面平面部の中央に開口を有する上記回路基板を組み込むための取付部材と、この取付部材と上記回路基板との間でかつ上記開口に対向して配置される表示体とを備え、上記光源を上記係合突起部内または上記係合孔にかかるように上記係合突起部に配置したことを特徴とする表示器。
【請求項２】
前記表示体をＬＣＤ表示体とし、前記光源を発光ダイオードとし、前記取付部材を金属製の取付金具としたことを特徴とする請求項１記載の表示器。
【請求項３】
前記光源を前記回路基板の面に垂直となる方向を照らす上面光出射型の光源とし、前記係合突起部を複数設け、各係合突起部に各１個の上記上面光出射型の光源を実装したことを特徴とする請求項１または２記載の表示器。
【請求項４】
前記取付部材に前記開口を囲むような枠部を設け、前方から見たとき、上記枠部によって前記表示体照光用の光源が覆われるように該光源を配置したことを特徴とする請求項１、２または３記載の表示器。
【請求項５】
前記係合突起部が設置される側と反対側に、前記表示体の接触端子部と接触するゴム製のインタコネクタが配置され、前記回路基板の面上に設けられた接続端子部と上記接触端子部との間で上記インタコネクタが圧縮されて挟み込まれることを特徴とする請求項１、２、３または４記載の表示器。
【請求項６】
前記表示体照光用の光源が実装された前記係合突起部を、前記回路基板の中央線を境とした一方の半分領域に設け、もう一方の半分領域に他の表示用の光源を配置したことを特徴とする請求項１から５のいずれか１項記載の表示器。
【請求項７】
前記他の表示用の光源を多色発光ダイオードとし、前記表示体照光用の光源との間に、一方の光源側から他方の光源例に光が洩れるのを防止する防止手段が設けられていることを特徴とする請求項６記載の表示器。
【請求項８】
請求項１から７のいずれか１項記載の表示器を前面の操作パネル部に配置し、この操作パネル部の表示パネルに面して表示体を対向配置し、かつ上記表示パネルの透明部分には、表示体照光用の光源が現れないようにしたことを特徴とする無線通信機。
【発明の詳細な説明】
【０００１】
【発明の属する技術分野】
本発明は、光源によって表示体が照光される構造の表示器および当該表示器を組み込んだ無線通信機に関する。
【０００２】
【従来の技術】
従来から、光源によって文字等を表示するための表示体を照光する構造の表示器が知られている。たとえば、特開平５−２７２４０号公報には、側面の近くの底面に凹部が形成された導光板上に液晶表示器を設けると共にその凹部に光源となる発光ダイオードが収納される構成が示されている。
【０００３】
また、実開平５−５５５６７号公報には、複数の発光ダイオードチップを取り付けたプリント基板上に、その発光ダイオード（Ｌｉｇｈｔ  Ｅｍｉｔｔｉｎｇ  Ｄｉｏｄｅで、以下ＬＥＤという）のチップを収納するための凹陥部を有するライトガイドが配置され、その上方にさらに拡散板が設置されたＬＥＤ面光源装置が開示されている。このＬＥＤ面光源装置によって表示体が均一に照射されることとなる。
【０００４】
また、図１４に示すような表示器１０１も知られている。この表示器１０１は前面側から、取付金具１０２、ＬＣＤ（Ｌｉｑｕｉｄ  Ｃｒｙｓｔａｌ  Ｄｉｓｐｌｙ）からなる表示体（以下、ＬＣＤ表示体という）１０３、インタコネクタ１０４、光ガイド１０５、表示ユニット１０６、コントロールユニット１０７が順に配置される構成となっている。
【０００５】
取付金具１０２は、側面の壁部１１１と、この側面の壁部１１１が立設する正面平面部１１２とを有している。そして、壁部１１１の一部に表示ユニット１０６を取付金具１０２に固定するための５つの固定用爪１１３が設けられ、正面平面部１１２には、その中央に大きな開口１１４が設けられている。
【０００６】
ＬＣＤ表示体１０３には、インタコネクタ１０４が当接する当接段部１１５が設けられている。インタコネクタ１０４は、ゼブラゴムの中央にカーボンが入った導電部を有し、ＬＣＤ表示体１０３と表示ユニット１０６の各接続端子部を接続するものとなっている。光ガイド１０５は、透明なアクリル樹脂からなり、一方の側面端部に４つの切り欠き凹部１１６が設けられている。
【０００７】
また、表示ユニット１０６は、回路基板１２１と、その回路基板１２１に取り付けられたＬＥＤ１２２とから構成される。そして、ＬＥＤ１２２は、回路基板１２１の平面と平行方向に光を照射するように取り付けられた側面発光タイプとされて、切り欠き凹部１１６内に収納されている。コントロールユニット１０７は、両面に回路が印刷された印刷回路基板とされ、取付金具１０２が固定される。
【０００８】
このように構成される表示器１０１は、図１５に示すような無線通信機１３１等の前面操作パネル部１３２に組み込まれる。ＬＣＤ表示体１０３は、前面操作パネル部１３２に設けられた窓枠１３３に対向して配置され、窓枠１３３で囲まれる部分が表示部１３４となる。
【０００９】
【発明が解決しようとする課題】
従来の各表示器は、ＬＣＤ表示体等の表示体を照光する際、ＬＥＤ等の光源が凹部内に収納され、スペース的な面や光拡散等の面で有利なものとなっている。しかし、従来の表示器１０１は、図１５に示すように、ＬＥＤ１２２を封止した樹脂部１２３、すなわち光源部が見えてしまうことが往々にして生じ、光ムラが発生しやすいものとなっている。
【００１０】
これは、無線通信機１３１のような装置では、偏平化が要求され、しかも表示部分を大きく取ることが要求されるため、ファンクションキー１３５が配置される側と反対側の窓枠１３３を形成する部分の高さＬを小さくせざるを得ないために生ずる。この高さＬが小さくなると、回路基板１２１に設置される発光ダイオード１２２を前面操作パネル部１３２の窓枠１３３を形成する部分で覆い隠すことができなくなる。また、仮に、ＬＥＤ１２２が窓枠１３３の内方に隠されたとしても、その位置が窓枠１３３から近いと、やはり光ムラが表示部１３４に現れてくる。このような光ムラの発生は、装置の高級感を減少させ、時には不良品として返品されることも生ずる。
【００１１】
また、従来の表示器１０１では、表示ユニット１０６を取付金具１０２に固定させる際、固定用爪１１３を内側に曲げることで、表示ユニット１０６の回路基板１２１を開口１１４側に押圧させ一体化させている。この一体化の際、インタコネクタ１０４を圧縮させることとなり、インタコネクタ１０４側の固定用爪１１３を曲げる際、当該固定用爪１１３以外の部分が浮き上がり、固定作業がしづらくなっている。すなわち、各固定用爪１１３をすべて曲げて表示ユニット１０６を取付金具１０２に保持するまで、この表示ユニット１０６を押さえておく必要が生じている。
【００１２】
本発明は、上述の問題点を解決するためになされたものであり、照光される表示体の光ムラを軽減すると共に、取付部材に、表示体照光用の光源を実装した回路基板を取り付ける際の作業効率を向上させ得る表示器および当該表示器を組み込んだ無線通信機を提供することを目的とする。
【００１３】
【課題を解決するための手段】
上述の目的を達成するため、本発明の表示器は、係合突起部を有し表示体照光用の光源を実装した回路基板と、側面の壁部に係合突起部が入り込む係合孔を有し、側面の壁部が立設する正面平面部の中央に開口を有する回路基板を組み込むための取付部材と、この取付部材と回路基板との間でかつ開口に対向して配置される表示体とを備え、光源を係合突起部内または係合孔にかかるように係合突起部に配置するようにしている。
【００１４】
このため、表示体照光用の光源を取付部材の開口から離れた位置に配置でき、外部から見える表示体部分の光ムラが軽減される。しかも、表示体照光用の光源が実装された回路基板を取付部材に取りつける際に、係合孔に回路基板の係合突起部を挿入することで、位置決めと浮き上がり防止がなされ、固定作業の作業効率が向上する。
【００１５】
また、他の発明は、上述の発明の表示器に加え、表示体をＬＣＤ表示体とし、光源を発光ダイオードとし、取付部材を金属製の取付金具としている。このため、ＬＣＤ表示体を強力な光源で照光できると共に、金属製の取付金具に回路基板がしっかりと固定される。
【００１６】
さらに、他の発明は、上述の各発明の表示器に加え、光源を回路基板の面に垂直となる方向を照らす上面光出射型の光源とし、係合突起部を複数設け、各係合突起部に各１個の上面光出射型の光源を実装している。
【００１７】
このため、表示体はその下面全体に当たるように照光されるため、側面発光タイプのダイオード等の側面光出射型に比べ光ムラは大きく軽減される。しかも、複数の係合突起部にまたはその近傍に光源が１個ずつ取り付けられるため、一層光ムラの無い照光が可能となる。
【００１８】
また、他の発明の表示器は、上述の各発明の表示器に加え、取付部材に開口を囲むような枠部を設け、前方から見たとき、枠部によって表示体照光用の光源が覆われるように該光源を配置している。このため、このような表示器を各種の表示部付きの電子装置に使用したとき、光源が外部から見えるようなことはなくなり、光ムラを確実に減少させることができる。
【００１９】
さらに、他の発明は、上述の各発明の表示器に加え、係合突起部が設置される側と反対側に、表示体の接触端子部と接触するゴム製のインタコネクタが配置され、回路基板の面上に設けられた接続端子部と接触端子部との間でインタコネクタが圧縮されて挟み込まれている。
【００２０】
このようなゴム製のインタコネクタが配置されると、回路基板のインタコネクタ側を押さえたときにも、係合突起部側は浮き上がることはない。しかも、インタコネクタを強く押すようにして回路基板を固定することが可能となり、インタコネクタの接続性（導通性）が安定する。
【００２１】
また、他の発明は、上述の各発明の表示器に加え、表示体照光用の光源が実装された係合突起部を、回路基板の中央線を境とした一方の半分領域に設け、もう一方の半分領域に他の表示用の光源を配置している。
【００２２】
このように構成することで、２種類以上の表示が１つの表示部に対して行えるようになる。しかも、両光源が離れた位置に配置されるので、両光源の光が互いに他方の表示部分に洩れてしまうのを軽減させることができる。
【００２３】
さらに、他の発明は、上述の表示器に加え、他の表示用の光源を多色発光ダイオードとし、表示体照光用の光源との間に一方の光源側から他方の光源例に光が洩れるのを防止する防止手段が設けられている。このため、表示があでやかとなり、装置の高級感と表示の明瞭性がもたらされる。しかも、光の洩れ防止手段によって、他の表示部分に光が洩れることを一層軽減させることができる。
【００２４】
また、本発明の無線通信機は、請求項１から７のいずれか１項記載の表示器を前面の操作パネル部に配置し、この操作パネル部の表示パネルに面して表示体を対向配置し、かつ表示パネルの透明部分には、表示体照光用の光源が現れないようにしている。
【００２５】
このため、表示体照光用の光源を取付部材の開口から離れた位置に配置でき、外部から見える表示体部分の光ムラが軽減される。しかも、表示体照光用の光源が実装された回路基板を取付部材に取りつける際は、係合孔に回路基板の係合突起部を挿入することで、位置決めと浮き上がり防止がなされ固定作業の作業効率が向上する。また、無線通信機は、暗い場所でも良く使用されることが多いが、光ムラが少ないため、暗い場所においては、高級感が一層増し、表示が一層明瞭に認識できるものとなる。さらに、車載用の無線通信機等では、偏平化が強く要請されているが、偏平化されても、光ムラは生じにくくなると共に、偏平化が容易となる。
【００２６】
【発明の実施の形態】
以下、本発明の実施の形態の表示器および当該表示器を組み込んだ無線通信機について、図１から１３に基づいて説明する。なお、最初に第１の実施の形態について、図１から図９に基づいて説明することとする。
【００２７】
この第１の実施の形態の無線通信機１は、車のフロントパネルの略中央位置に搭載される装置となっている。この無線通信機１の前面操作パネル部２は、図１に示すように、その前面に電源ボタン３と、通信音のアップボタン４およびダウンボタン５と、モニタを行うためのモニタボタン６と、スキャンを行うスキャンボタン７と、その他の４つのファンクションボタンからなるファンクションキー部８と、チャンネルのアップボタン９およびダウンボタン１０と、表示パネル１１と、マイクの端子を差し込むマイク部１２とを有している。
【００２８】
電源ボタン３とアップボタン４との間には、送信のときに赤が点灯し、受信のときに緑が点灯する送受信表示部１３が設けられている。また、ファンクションキー部８の各ボタンの境には、小さい突起１４が３つ設けられている。
【００２９】
表示パネル１１は、透明の樹脂材から形成され、その背部の外周端部１１ａに黒色塗装が施され、その外周端部１１ａで囲まれた部分を透明部分１１ｂとしている。マイク部１２は、マイク端子が嵌入できる嵌合孔１２ａと、嵌合孔１２ａを囲むように突出した突出部１２ｂとで形成されている。また、アップボタン４とダウンボタン５との間、アップボタン９とダウンボタン１０との間にそれぞれ山形の突起部１５，１６が設けられている。
【００３０】
この前面操作パネル部２は、図２に示すように、表示パネル１１と各ボタン用の穴を有する樹脂製で箱状の操作パネル体２１と、各ボタン部に設けられたゴム製のボタン体２２と、表示パネル１１に文字等を写し出すための光源等を有する表示ユニット組立体２３とから構成されている。
【００３１】
操作パネル体２１には、表示パネル１１が接着剤にて固着されている。また、操作パネル体２１には、電源ボタン３用の穴２１ａと、受信表示部１３用の穴２１ｂと、アップボタン４用の穴２１ｃと、ダウンボタン５用の穴２１ｄと、モニタボタン６用の穴２１ｅと、スキャンボタン７用の穴２１ｆと、その他のファンクションキー部８用の４つの穴２１ｇと、アップボタン９用の穴２１ｈと、ダウンボタン１０用の穴２１ｊの各穴が設けられている。さらに、この操作パネル体２１は、小径前面部２４と大径後部２５の２段構成とされ、大径後部２５から４つの取付係止部２６が左右対称かつ突出するように設けられている。
【００３２】
ボタン体２２には、各ボタン３，４，５，６，７，８，９，１０と、光を操作パネル体２１側に導いて受信表示部１３に点灯表示するための円柱部２７と、表示ユニット組立体２３の後方から該表示ユニット組立体２３を通り抜けてこのボタン体２２に当接する保持部材（図示省略）が入り込む凹部２２ａおよび切り欠き部２２ｂとが設けられている。
【００３３】
表示ユニット組立体２３は、図３に示すように、取付部材となる金属製の取付金具３１と、透明アクリルからなる光ガイド３２と、この光ガイド３２上に配置されるカラーまたは非カラー用のＬＣＤ表示体３３と、ＬＣＤ表示体３３の端子部と接続するように光ガイド３２の長径の切り欠き孔３２ａに嵌合されるゴム製のインタコネクタ３４と、回路基板３６上にＬＣＤ表示体３を照明するための第１の光源となる４つのＬＣＤ照光用ＬＥＤ３７が取り付けられた表示ユニット４０と、上述の各部品が取り付けられた取付金具３１を固定すると共に制御回路が印刷されたコントロールユニット４１とから構成されている。
【００３４】
取付金具３１は、四方を囲む側面の壁部５１ａ，５１ｂ，５１ｃ，５１ｄと、これらの壁部５１ａ〜５１ｄが立設される枠部を兼ねる正面平面部５２とを有する。壁部５１ａには、表示ユニット４０を固定するため２つの固定用爪５３ａと、コントロールユニット４１に固定するための２つの係合爪５３ｂと、回路基板３６の後述する係合突起部３６ａが係合する４つの係合孔３１ａが設けられている。反対側の壁部５１ｂには、３つの固定用爪５３ａと、２つの係合爪５３ｂとが設けられている。
【００３５】
短辺の一方の壁部５１ｃには、コントロールユニット４１への誤挿入防止と位置決めのための１つの直線状爪５３ｃと、ＬＣＤ表示体３３の誤配置を防止するため、図４に示すようなＬＣＤ表示体３３の突部３３ａが入り込む長形孔３１ｂとが設けられている。短辺の他方の壁部５１ｄには、１つの直線状爪５３ｃが設けられている。正面平面部５２には、ＬＣＤ表示体３３の中央部分を表示パネル１１に向けるようにするための大きな開口５４が設けられている。
【００３６】
光ガイド３２は、図３および図５に示すように、インタコネクタ３４用の通し孔３２ａに加え、ＬＣＤ表示体３３を載置するための平面部となるＬＣＤ用載置部５５と、４つのＬＣＤ照光用ＬＥＤ３７が入り込む４つの凹部３２ｂ，３２ｃ，３２ｄ，３２ｅとを有している。
【００３７】
ＬＣＤ表示体３３は、図６に示すように、拡散シール５６ｂが貼付された光拡散板５６と、液晶が封入された液晶体５７とが接着固定されたものとなっている。液晶体５７がより突出した部分５７ａの下端面に設けられた接続部にインタコネクタ３４が当接する構造となっている。突部３３ａは、光拡散板５６と液晶体５７との境目をつなぐように設けられている。
【００３８】
インタコネクタ３４は、両側がゼブラゴム３４ａ，３４ａとされ、中央にカーボン入りのゴム材３４ｂが配置された３層構造とされ、長い側面の一方が液晶体５７に接触し、他方が回路基板３６に接触している。
【００３９】
表示ユニット４０の回路基板３６には、上述したように４つのＬＣＤ照光用ＬＥＤ３７が取り付けられており、さらには、インタコネクタ３４と接続するための端子部６０が設けられていると共に両面に回路が形成されている。また、回路基板３６には、取付金具３１の係合孔３１ａに係合する４つの係合突起部３６ａが設けられ、各係合突起部３６ａ部分にその一部がかかるように、それぞれのＬＣＤ照光用ＬＥＤ３７が配置されている。このＬＣＤ照光用ＬＥＤ３７は、表示ユニット組立体２３として組み付けられたとき、光ガイド３２の凹部３２ｂ，３２ｃ，３２ｄ，３２ｅ部分に配置される。
【００４０】
各ＬＣＤ照光用ＬＥＤ３７は、回路基板３６の平面に対し垂直方向に光を出射する上面光出射型に含まれる上面発光タイプとされ、図７に示すように、係合突起部３６ａにその一部がかかるように配置されている。すなわち、係合突起部３６ａの突出長をＷ１としたとき、ＬＣＤ照光用ＬＥＤ３７の係合突起部３６ａの端部３６ｂからの距離Ｗ２が、Ｗ２＜Ｗ１となるように、しかもＬＣＤ照光用ＬＥＤ３７のもっとも離れた距離Ｗ３がＷ３＞Ｗ１となるように配置されている。
【００４１】
取付金具３１の壁部５１ａの厚さは、略Ｗ１の大きさとなっており、その内面は、回路基板３６の内側端部３６ｃに当接または近接して配置される。光ガイド３２の凹部３２ｂ〜３２ｅが設けられる端面３２ｆは、壁部５１ａの内面に近接または当接して配置される。このため、取付金具３１の壁部５１ａの内面や光ガイド３２の端面３２ｆがＬＣＤ照光用ＬＥＤ３７を横切るように配置されることとなる。この結果、ＬＣＤ照光用ＬＥＤ３７の形状の一部は、係合孔３１ａ内に入り、残部は、それぞれ凹部３２ｂ〜３２ｅに収納されることとなる。
【００４２】
なお、各長さＷ１，Ｗ２，Ｗ３の関係が、Ｗ１＞Ｗ３となるようにし、ＬＣＤ照光用ＬＥＤ３７が完全に係合突起部３６ａ上に位置するようにしても良い。また、Ｗ２＞Ｗ１として、ＬＣＤ照光用ＬＥＤ３７が係合突起部３６ａにかからないようにしても良い。いずれにしても各種の安全規格上、Ｗ２を所定長以上にしなければならないが、内側端部３６ｃからＷ２だけ内側に配置する場合に比べ、この係合突起部３６ａが存在することで、ＬＣＤ照光用ＬＥＤ３７をより外方に配置することが可能となる。
【００４３】
コントロールユニット４１には、取付金具３１の壁部５１ｂの２つの係合爪５３ｂが嵌入する２つの嵌入穴６１と、壁部５１ａの２つの係合爪５３ｂが嵌合する２つの切り欠き孔６２と、直線状爪５３が嵌入する２つの嵌入穴６３と、電源ボタン３の背面の導通部が接離する電源スイッチ部６４と、通信音のアップボタン４の背面の導通部が接離する通信音アップスイッチ部６５と、通信音のダウンボタン５の背面の導通部が接離する通信音ダウンスイッチ部６と、モニタボタン６の背面の導通部が接離するモニタスイッチ部６７と、スキャンボタン７の背面の導通部が接離するスキャンスイッチ部６８と、ファンクションキー部８の背面の導通部が接離するファンクションスイッチ部６９と、チャンネルのアップボタン９の背面の導通部が接離するチャンネルアップスイッチ部７０と、チャンネルのダウンボタン１０の背面の導通部が接離するチャンネルダウンスイッチ部７１とが設けられている。
【００４４】
このコントロールユニット４１には、さらに表示ユニット組立体２３を操作パネル体２１に組み込むときに他部材との位置決めを行うための２つの挿通孔４１ａ，４１ａが設けられている。この２つの挿通孔４１ａ，４１ａは、ボタン体２２の凹部２２ａと切り欠き部２２ｂに対し、それぞれ対向するように配置されている。
【００４５】
次に、以上のように構成された無線通信機１の前面操作パネル部２の組立方法について説明する。
【００４６】
まず、取付金具３１を裏返しにし、開口５４を底にする。その中に、まずＬＣＤ表示体３３の突部３３ａを壁部５１ｃの長形孔３１ｂに落とし込むようにし斜め状態としてから全体を入れ込む。次に、光ガイド３２を載置し、さらに、インタコネクタ３４を通し孔３２ａに落とし込む。なお、インタコネクタ３４は、光ガイド３２を取付金具３１に組み込む前に、予めＬＣＤ表示体３３に配置しておいても良い。
【００４７】
その後、表示ユニット４０を取付金具３１に仮固定する。この仮固定は、図８（Ａ）に示すように、回路基板３６の係合突起部３６ａ側が下位置になるように斜めにした状態で、その係合突起部３６ａを取付金具３１の係合孔３１ａに嵌入させ、次に、反対側も取付金具３１内に入れ込むことで行う。
【００４８】
次に、取付金具３１の５つの固定用爪５３ａの各先端を内側に折り曲げる。この曲げによって、その先端が回路基板３６の図３の裏面に当接し、回路基板３６を開口５４側に押圧し、光ガイド３２、ＬＣＤ表示体３３およびインタコネクタ３４を取付金具３１との間でしっかり挟み込む。取り付けられた時のＬＣＤ照光用ＬＥＤ３７付近の状態を、図８（Ｂ）に示す。係合孔３１ａは、回路基板３６の挿入し易さを考慮し大きめに形成されており、図８（Ｂ）に示すように、回路基板３６を水平に配置したときに、係合突起部３６ａの上下に隙間が発生するように構成されている。
【００４９】
その後、この各部材を取り付けた取付金具３１をコントロールユニット４１に固定する。この固定は、４つの係合爪５３ｂを２つの嵌入穴６１と２つの切り欠き孔６２に入れ、２つの直線状爪５３ｃを嵌入穴６３に入れた後、４つの係合爪５３ｂを上からポンチ等で係合爪５３ｂの中央をたたき、長さ方向の長さをさらに大きくし、各係合爪５３ｂの両端がコントロールユニット４１の図３の裏面に覆い被さるようにすることで行う。なお、２つの直線状爪５３ｃと嵌入穴６３は、誤挿入防止と位置決めのために用いられる。
【００５０】
次に、図２に示す操作パネル体２１と、ボタン体２２と、この表示ユニット組立体２３の組立が行われる。
【００５１】
まず、操作パネル体２１の前面（図２の上側）を底にし、その内部にボタン体２２を落とし込む形で組み込む。次に、表示ユニット組立体２３のコントロールユニット４１の表面部がボタン体２２に当接するように落とし込む。このとき、取付金具３１の開口５４は、表示パネル１１に対向するようにされる。この後、前面操作パネル部２は、無線通信機１の本体側に嵌合固定される。以上によって無線通信機１が完成する。なお、無線通信機１の本体側については、従来公知の例と同様であり、その説明を省略する。
【００５２】
組み立てられた後のＬＣＤ照光用ＬＥＤ３７の位置関係を図９に示す。各ＬＣＤ照光用ＬＥＤ３７は、表示パネル１１の透明部分１１ｂには存在せず、黒色の外周端部１１ａの窓枠１１ｃから奥の位置となる。また、窓枠１１ｃの奥側にその開口５４を有する取付金具３１の枠部兼正面平面部５２にも完全に覆われるように各ＬＣＤ照光用ＬＥＤ３７は配置される。このため、ＬＣＤ照光用ＬＥＤ３７が上面発光タイプであることと併せ、光ムラは大きく軽減される。
【００５３】
次に、本発明の第２の実施の形態の表示器となる表示ユニット組立体８１を図１０から図１３に基づいて説明する。この表示ユニット組立体８１は、無線通信機１と同種の無線通信機に組み込まれるもので、その構成は、第１の実施の形態で説明した表示ユニット組立体２３と略同様となっている。このため、表示ユニット組立体２３と同一部材、同一部分には同一の符号を付し、その説明を省略または簡略化する。
【００５４】
この表示ユニット組立体８１は、図１０に示すように、取付金具３１と、透明アクリルからなる光ガイド８２と、光ガイド８２上に配置される小型のカラー文字または非カラー文字用のＬＣＤ表示体３３と、ＬＣＤ表示体３３の端子部と接続するように光ガイド８２の長形の通し孔８２ａに嵌合されるゴム製の小さいインタコネクタ３４と、光ガイド８２の楕円状の大長形孔からなる嵌合孔８２ｂに嵌合する白色のゴム材からなるパッキング８３と、回路基板３６上にＬＣＤ表示体３３を照明するための第１の光源となるＬＣＤ照光用ＬＥＤ３７およびそれぞれが赤と緑の２色を発光可能とされている第２の光源となる２つの２色発光ＬＥＤ３８，３９が取り付けられた表示ユニット４０と、上述の各部品が取り付けられた取付金具３１を固定すると共に制御回路が印刷されたコントロールユニット４１とから構成されている。
【００５５】
光ガイド８２は、図１０から図１２に示すように、インタコネクタ３４用の通し孔８２ａと嵌合孔８２ｂに加え、ＬＣＤ表示体３３を載置するための凹部となるＬＣＤ用載置部５５と、ＬＣＤ照光用ＬＥＤ３７が入り込む凹部８２ｃと、ＬＣＤ表示体３３の組み込みミス防止用の突部３３ａが入り込む切り欠き凹部８２ｄとを有している。さらに、この光ガイド８２には、嵌合孔８２ｂを囲む孔形成部８２ｅと、その内周部にはパッキング８３を係止する係止部８２ｆとが設けられている。
【００５６】
孔形成部８２ｅとＬＣＤ用載置部５５との間に貫通しない凹部で形成される空間Ｓが設けられている。この空間Ｓは、孔形成部８２ｅのＬＣＤ用載置部５５に面する空間Ｓ１と、孔形成部８２ｅの他の２面を囲むように形成された２つの狭い空間Ｓ２，Ｓ３から構成される。これらの空間は、ＬＣＤ表示体３３側の光がパッキング８３側へ、またその逆方向への光の洩れが生じても、この空間Ｓ内で反射させ、他側への影響を軽減させるものとなっていると共に孔形成部８２ｅの強度と垂直度を維持向上させるためのものとなっている。
【００５７】
パッキング８３は、成型性の良い白色のエチレンプロピレンのゴム材で形成され、２色発光ＬＥＤ３８，３９の光を拡散させながら通過させるロート形状の２つの貫通孔８３ａ，８３ｂを有している。すなわち、図１３に示すように、２色発光ＬＥＤ３８，３９が配置される側の孔径Φ１が表示パネル９側の孔径Φ２より小さくされ、徐々に径が大きくなるようにされている。なお、２色発光ＬＥＤ３８は、赤色のみが発光する状態、緑色のみが発光する状態、赤色と緑色が同時に発光し両色の中間色が表示される状態の３状態を表示させることが可能となっている。この３状態の表示が可能となる点は、もう一方の２色発光ＬＥＤ３９も同様である。
【００５８】
パッキング８３は、光ガイド８２に取り付けられる際に、その段部８３ｃが光ガイド８２の係止部８２ｆに係止され、その位置決めがされると共に抜けが防止される。両部材が組み合わされたとき、図１３に示すように、パッキング８３が前方へ高さＨ１分だけ飛び出るようにされると共に反対側へもわずかに高さＨ２だけ飛び出るようにされている。この高さＨ２は、ほとんど零に近い値または零もしくはわずかに内側へ引っ込んだ構造としても良い。
【００５９】
高さＨ１は、取付金具３１の厚さより大きくされており、表示ユニット組立体８１として組み付けられたとき、取付金具３１の前面よりパッキング８３がわずかに突出するようにされている。この構造とすることで、操作パネル体２１に表示ユニット組立体８１を取り付けたとき、パッキング８３が表示パネル１１の背面と回路基板３６との間で押さえ込まれ、パッキング８３の弾性復元力によって表示パネル１１との隙間や回路基板３６との隙間が発生しないようにされる。
【００６０】
表示ユニット４０の回路基板３６には、上述したように、各ＬＥＤ３７，３８，３９が取り付けられており、さらには、インタコネクタ３４と接続するための小型の端子部６０が設けられていると共に両面に回路が形成されている。また、回路基板３６には、取付金具３１の係合孔３１ａに係合する４つの係合突起部３６ａが設けられ、その１つの係合突起部３６ａ部分にその一部がかかるようにＬＣＤ照光用ＬＥＤ３７が配置されている。このＬＣＤ照光用ＬＥＤ３７は、表示ユニット組立体８１として組み付けられたとき、光ガイド８２の凹部８２ｃ部分に配置される。
【００６１】
なお、ＬＣＤ照光用ＬＥＤ３７は、回路基板３６の図１０の左半分の領域Ｗ１に配置され、２色発光ＬＥＤ３８，３９は、右半分の領域Ｗ２に配置され、両者の距離を大きくすることで両領域Ｗ１，Ｗ２の各光源の光が他の表示側に洩れにくくしている。
【００６２】
なお、上述の各実施の形態は、本発明の好適な実施の形態の例であるが、これに限定されるものではなく、本発明の要旨を逸脱しない範囲において、種々の変形実施が可能である。たとえば、ＬＣＤ表示体３３の代わりに、通常の文字等が印刷された表示プレートや、ＥＬ（Ｅｌｅｃｔｒｏｌｕｍｉｎｅｃｅｎｓｅ）を利用した表示装置やＥＣＤ（Ｅｌｅｃｔｒｏｃｈｅｍｉｃａｌ  Ｄｉｓｐｌａｙ）等としても良い。
【００６３】
また、係合孔３１ａや係合突起部３６ａの形状は、直方体形状ではなく、偏平な円柱を半分にした半円形状等他の形状とすることができる。さらに、係合孔３１ａは、貫通孔ではなく、貫通しない凹部としても良い。このような凹部を含めて、この明細書では係合孔と呼ぶこととする。さらに、係合孔３１ａや係合突起部３６ａの各個数は４つではなく、他の個数としても良く、また、係合突起部３６ａの数を係合孔３１ａの数より少なくしても良い。
【００６４】
また、上述の各実施の形態では、ＬＣＤ照光用ＬＥＤ３７を各係合突起部３６ａに設けて計４個としたり、４つのうちの１つの係合突起部３６ａに設けて１個としたりしているが、そのＬＣＤ照光用ＬＥＤ３７の数は５個以上としたり、２個や３個としても良い。その際、１つの係合突起部３６ａに複数のＬＣＤ照光用の光源を配置するようにしても良い。ＬＣＤ表示体用の光源としては、ＬＣＤ照光用ＬＥＤ３７以外に単なるランプとしたり、ＥＬ（Ｅｌｅｃｔｒｏ  ｌｕｒｍｉｎｅｃｅｎｓｅ）を利用した発光素子等としても良い。
【００６５】
また、光ガイド３２に凹部３２ｂ，３２ｃ，３２ｄ，３２ｅを設けずに、平面状としても良い。この場合、回路基板３６に凹部を設け、その凹部内にＬＣＤ照光用ＬＥＤ３７を配置するようにする。また、取付部材としては、金属製の取付金具３１の他に、樹脂製としたり、金属をインサート成型して樹脂と金属を一体化したものなどとしても良い。さらに、光ガイド３２，８２としては、透明なアクリル以外に、透明なガラス材質等他の透明材を使用しても良い。
【００６６】
さらに、本発明は、無線通信機以外の他の種々な装置、たとえばラジオ、ＣＤプレーヤ、モデム、カーナビゲーション等の電子機器に適用することができる。
【００６７】
【発明の効果】
本発明の表示器および当該表示器を組み込んだ無線通信機をによれば、表示体を照明する際の光ムラを軽減できる。また、表示体照光用の光源が実装された回路基板を取付部材に取り付ける際の作業効率を向上させることができる。
【図面の簡単な説明】
【図１】本発明の第１の実施の形態の無線通信機の前面操作パネル部およびその周辺の斜視図である。
【図２】図１の無線通信機中の前面操作パネル部の分解斜視図である。
【図３】図１の無線通信機に使用されている表示ユニット組立体の分解斜視図で、図２の矢示Ａ方向から見た図である。
【図４】図１の無線通信機に使用されている取付金具の側面図で、図３の矢示Ａ方向から見た図である。
【図５】図１の無線通信機に使用されている光ガイドを図３の底側から見た斜視図である。
【図６】図１の無線通信機に使用されている光ガイドと、ＬＣＤ表示体と、インタコネクタの位置関係を説明するための部分分解斜視図である。
【図７】図１の無線通信機に使用されているＬＣＤ照光用ＬＥＤ部分の部分拡大図である。
【図８】図１の無線通信機に使用されている回路基板を取付金具に取り付ける際の状態を示す図で、（Ａ）は回路基板を係合孔に差し入れたときの状態を示し、（Ｂ）は回路基板を取付金具に固定したときの状態を示す図である。
【図９】図１の無線通信機の前面操作パネル部の部分正面図で、ＬＣＤ照光用ＬＥＤの位置関係を説明するための図である。
【図１０】本発明の第２の実施の形態の表示器となる表示ユニット組立体の分解斜視図である。
【図１１】図１０の表示ユニット組立体中の光ガイドの底面図である。
【図１２】図１１中の各断面線による断面図で、（Ａ）は図１１のＡ−Ａ線断面図で、（Ｂ）は図１１のＢ−Ｂ線断面図で、（Ｃ）は図１１のＣ−Ｃ線断面図である。
【図１３】図１０の表示ユニット組立体中のパッキングの断面図である。
【図１４】従来の表示器の分解斜視図である。
【図１５】図１４の表示器が無線通信機の前面操作パネル部に組み込まれたときの部分正面図である。
【符号の説明】
１  無線通信機
２  前面操作パネル部
１１  表示パネル
２１  操作パネル体
２２  ボタン体
２３  表示ユニット組立体
３１  取付金具（取付部材）
３１ａ  係合孔
３２  光ガイド
３３  ＬＣＤ表示体（表示体）
３４  インタコネクタ
３６  回路基板
３６ａ  係合突起部
３７  ＬＣＤ照光用ＬＥＤ（表示体照光用の光源）
４０  表示ユニット
５１ａ〜５１ｄ  壁部
５２  正面平面部（枠部を兼ねる）
５４  開口
【図１】
0003626049.tif 000002
【図２】
0003626049.tif 000003
【図３】
0003626049.tif 000004
【図４】
0003626049.tif 000005
【図５】
0003626049.tif 000006
【図６】
0003626049.tif 000007
【図７】
0003626049.tif 000008
【図８】
0003626049.tif 000009
【図９】
0003626049.tif 000010
【図１０】
0003626049.tif 000011
【図１１】
0003626049.tif 000012
【図１２】
0003626049.tif 000013
【図１３】
0003626049.tif 000014
【図１４】
0003626049.tif 000015
【図１５】
0003626049.tif 000016